(57)【要約】本発明は、データ処理装置に接続されている表示装置のカーソルの制御システムを開示している。当該制御システムは、ユーザーの画像情報を採取して信号を送信するための画像採取装置と、前記画像採取装置からの信号を受信するための信号受信ユニットと、前記信号を解析してカーソル及びカーソルが到着する目標領域を切替える必要があるか否かを判断するための信号処理ユニットと、前記信号処理ユニットの判断結果に基づき前記表示装置へカーソル制御信号を送信し、カーソルを前記目標領域に切替えるためのカーソル制御ユニットと、を含む。これに対し、本発明は表示装置のカーソルの制御方法をさらに開示している。
2008523517.tif 000002
【特許請求の範囲】
【請求項１】
データ処理装置に接続されている表示装置のカーソルの制御システムであって、
ユーザーの画像情報を採取して信号を送信するための画像採取装置と、
前記画像採取装置からの信号を受信するための信号受信ユニットと、
前記信号を解析してカーソル及びカーソルが到達する目標領域を切替える必要があるか否かを判断するための信号処理ユニットと、
前記信号処理ユニットの判断結果に基づき前記表示装置にカーソル制御信号を送信して、カーソルを前記目標領域に切替えるためのカーソル制御ユニットと、を含むことを特徴とする表示装置のカーソルの制御システム。
【請求項２】
前記目標領域中にアプリケーションプログラム・ウインドーが存在している時、前記表示装置にウインドー・アクティベーション信号を送信して当該アプリケーションプログラム・ウインドーをアクティブにするためのウインドー・アクティベーションユニットをさらに含むことを特徴とする請求項１に記載の表示装置のカーソルの制御システム。
【請求項３】
前記信号受信ユニット、前記信号処理ユニット、前記カーソル制御ユニット及び前記ウインドー・アクティベーションユニットは、個別の部分品又は少なくとも２個のユニットが相互に集積されたものであることを特徴とする請求項２に記載の表示装置のカーソルの制御システム。
【請求項４】
前記信号受信ユニット、前記信号処理ユニット、前記カーソル制御ユニット及び前記ウインドー・アクティベーションユニットは前記データ処理装置内に設けられることを特徴とする請求項２に記載の表示装置のカーソルの制御システム。
【請求項５】
前記信号受信ユニット、前記信号処理ユニット、前記カーソル制御ユニット及び前記ウインドー・アクティベーションユニットは前記データ処理装置の制御ソフトウェアシステムを構成することを特徴とする請求項４に記載の表示装置のカーソルの制御システム。
【請求項６】
前記信号処理ユニットは前記画像採取装置内に設けられ、前記信号受信ユニット、前記カーソル制御ユニット及び前記ウインドー・アクティベーションユニットは前記データ処理装置内に設けられることを特徴とする請求項１に記載の表示装置のカーソルの制御システム。
【請求項７】
前記信号処理ユニットによって決定される目標領域は複数の表示装置の一つ又は表示装置の複数のスクリーン領域の１つであることを特徴とする請求項１に記載の表示装置のカーソルの制御システム。
【請求項８】
前記画像採取装置によって採取されるユーザーの画像情報はユーザーの顔部の特徴であり、前記信号処理ユニットは現在の顔部の特徴と、設定された基準の顔部特徴とに基づき判断を行うことを特徴とする請求項１乃至７のいずれかに記載の表示装置のカーソルの制御システム。
【請求項９】
前記画像採取装置は前記表示装置又は前記データ処理装置内に設けられることを特徴とする請求項８に記載の表示装置のカーソルの制御システム。
【請求項１０】
データ処理装置に接続されている表示装置のカーソルの制御方法であって、
ユーザーの現在の画像情報を採取するステップＡと、
前記現在の画像情報を比較・解析して、カーソルが変更範囲に到達したか否かを判断して、到達していたらステップＣに進み、到達していなければステップＡに戻るステップＢと、
カーソルをユーザーの現在の画像情報に対応する目標領域に表示するステップＣとを含むことを特徴とする表示装置のカーソルの制御方法。
【請求項１１】
前記ステップＡの前にユーザーの基準画像情報を採取するステップをさらに含み、前記ステップＢにおける比較・解析とは、具体的に現在の画像情報と基準画像情報との違いに基づきユーザーの実現が変更されたか否かを判断するものであることを特徴とする請求項９に記載の表示装置のカーソルの制御方法。
【請求項１２】
前記ステップＡの前に、表示装置の数を調べること、或は表示装置のスクリーン領域を設定することをさらに含むことを特徴とする請求項９に記載の表示装置のカーソルの制御方法。
【請求項１３】
カーソルが到達する目標領域をアクティブにするアプリケーションプログラム・ウインドーをさらに含むことを特徴とする請求項９乃至１１のいずれかに記載の表示装置のカーソルの制御方法。
【請求項１４】
前記画像情報はユーザーの顔部の特徴であることを特徴とする請求項９乃至１１のいずれかに記載の表示装置のカーソルの制御方法。
【発明の詳細な説明】
【技術分野】
【０００１】
本発明は、電子情報とデータ処理技術に関して、特に、表示装置のカーソルの制御システム及び方法に関する。
【背景技術】
【０００２】
工業自動化の発展につれて、ネットワークのカーバ・エリアはより広くなり、コンピュータのデータ処理能力もより発達し、受信すべき情報量もより多くなるので、一つ又は複数の大きな表示装置を用いることは、工作効率を向上させる手段の一つとなるが、これによってカーソルが移動する距離が長すぎであることを招いて、操作が不便で、手腕が疲れやすくなるという問題が生じる。
【０００３】
現在のコンピュータオペレーティングシステムに支持されている表示装置の数は８個に達つ可能であり、該数が科学技術の発展と伴に増加する可能性があり、多量のワークステーションに設けられる表示装置の数も６個に到達し、これ以上もある。両行に分けて配列して、カーソルを左上角から右下角に移動しても、カーソルの移動距離はほぼ１メートルに達つ。このような長距離のカーソル移動については、伝統のマウス又はキーボードで制御すると、必ずユーザーの手腕の疲れ程度を増加し、工作効率の向上に不利である。ビッグスクリーンのパソコンユーザー及びワイドスクリーンのノートパソコンユーザーに対しては、カーソルの移動に類似な問題も存在している。
【０００４】
カーソルの移動距離が長すぎる問題を解決するために、一部のユーザーはホットキー切替え方法を利用するが、この方法には、依然としてユーザーがもう一つの手腕を制御に使用する必要があり、目でキーボードにあるホットキーを補助的に見る必要があり得るので、これは操作効率に影響を及ぼし、全ての問題をうまく解決することができない。
【０００５】
従来の技術には、新型の装置を設計してカーソルを制御するいくつかの技術方案が、例えば出願番号02101980（特許文献１）、02141365（特許文献２）、99800299（特許文献３）である中国特許に開示されている技術方案が提出された。この種類の装置はマウス及びゲームハンドルに類似しているので、ユーザーが手で装置の動きを実現する必要であり、また装置の動きに基づきカーソルの位置を制御する。このため、前記問題をうまく解決することができない。
【０００６】
従来の技術には、画像処理技術を利用してカーソルを制御するいくつかの技術方案も、例えば出願番号03224405（特許文献４）、01110375（特許文献５）、99111508（特許文献６）である中国特許に開示されている技術方案が提出された。
【０００７】
ここで、出願番号03224405（特許文献４）である特許に開示されている技術方案は、点光源発生器を操作移動し、その光信号を光源伝播媒介の異なる位置にＣＣＤ画像センサーで撮影して、信号を変換し、プロセッサーで解析処理し、方向検出器で出力装置のスクリーンにあるカーソルの移動を制御するものである。しかしながら、当該従来の技術方案は、依然としてユーザーがスポット光源発生器を操作移動する必要があるので、前記問題をうまく解決することができない。
【０００８】
出願番号99111508（特許文献６）である特許に開示されている技術方案は、映像入力装置でリニア映像を入力して映像信号を発生し、映像処理回路で当該映像信号を位置座標に変換し、位置座標からカーソル制御信号を発生するものである。しかしながら、当該従来の技術はカーソルが複数のスクリーンの間で速やかに切替える要求または一つの表示装置における異なる領域の間で速やかに切替える要求をうまく満たしていないし、コンピュータのソースを多すぎに占用することを引き起こす可能性がある。
【０００９】
出願番号01110375（特許文献５）である特許に開示されている技術方案は、映像信号を受信するための電光学機器を用いて映像を採取し、制御器は採取された映像を処理し、スクリーン又はディスプレイ上のカーソルの移動に対して制御するものである。しかしながら、当該従来の技術は同様にカーソルが複数のスクリーンの間で速やかに切替える要求または一つの表示装置における異なる領域の間で速やかに切替える要求をうまく満たしていないし、コンピュータのソースを多すぎに占用することを引き起こす可能性がある。
【００１０】
なお、前記従来の技術はいずれもカーソル位置の移動を制御することだけが、カーソルが移動すると同時に目標領域内のアプリケーションプログラム・ウインドーをアクティブにするよう要求を満たしていない。
【００１１】
【特許文献１】中国特許出願第０２１０１９８０号明細書
【特許文献２】中国特許出願第０２１４１３６５号明細書
【特許文献３】中国特許出願第９９８００２９９号明細書
【特許文献４】中国特許出願第０３２２４４０５号明細書
【特許文献５】中国特許出願第０１１１０３７５号明細書
【特許文献６】中国特許出願第９９１１１５０８号明細書
【発明の開示】
【発明が解決しようとする課題】
【００１２】
本発明が解決する技術課題は、表示装置のカーソルの制御システム及び方法を提供することで、これによってカーソルの高速切替を実現し得り、ユーザーの工作効率を有効に向上させて手腕の疲労感を低下させる、というものである。
【００１３】
その上に、本発明はカーソル位置を切替える時に目標領域内のアプリケーションプログラム・ウインドーをアクティブにすることも可能である。
【課題を解決するための手段】
【００１４】
従って、本発明が技術課題を解決する技術方案は、データ処理装置に接続されている表示装置のカーソルの制御システムであって、
ユーザーの画像情報を採取して信号を送信するための画像採取装置と、
前記画像採取装置からの信号を受信するための信号受信ユニットと、
前記信号を解析してカーソル及びカーソルが到達する目標領域を切替える必要があるか否かを判断するための信号処理ユニットと、
前記信号処理ユニットの判断結果に基づき前記表示装置にカーソル制御信号を送信して、カーソルを前記目標領域に切替えるためのカーソル制御ユニットと、を含むものである。
【００１５】
このシステムは、前記目標領域中にアプリケーションプログラム・ウインドーが存在している時、表示装置にウインドー・アクティベーション信号を送信して当該アプリケーションプログラム・ウインドーをアクティブにするためのウインドー・アクティベーションユニットをさらに含むことが好ましい。
【００１６】
前記信号受信ユニット、前記信号処理ユニット、前記カーソル制御ユニット及び前記ウインドー・アクティベーションユニットは、個別の部分品又は少なくとも二個のユニットが相互に集積されたものであることが好ましい。
【００１７】
前記信号受信ユニット、前記信号処理ユニット、前記カーソル制御ユニット及び前記ウインドー・アクティベーションユニットは前記データ処理装置内に設けられることが好ましい。
【００１８】
前記信号受信ユニット、前記信号処理ユニット、前記カーソル制御ユニット及び前記ウインドー・アクティベーションユニットは前記データ処理装置の制御ソフトウェアシステムを構成することが好ましい。
【００１９】
前記信号処理ユニットは前記画像採取装置内に設けられ、前記信号受信ユニット、前記カーソル制御ユニット及び前記ウインドー・アクティベーションユニットは前記データ処理装置内に設けられることが好ましい。
【００２０】
前記信号処理ユニットによって決定される目標領域は複数の表示装置の一つ又は表示装置の複数のスクリーン領域の１つであることが好ましい。
【００２１】
前記画像採取装置によって採取されるユーザーの画像情報はユーザーの顔部の特徴であり、前記信号処理ユニットは現在の顔部の特徴と、設定された基準の顔部特徴とに基づき判断を行うことが好ましい。
【００２２】
前記画像採取装置は前記表示装置又は前記データ処理装置内に設けられることが好ましい。
【００２３】
さらに、本発明は、データ処理装置に接続されている表示装置のカーソルの制御方法であって、
ユーザーの現在の画像情報を採取するステップＡと、
前記現在の画像情報を比較・解析して、カーソルが変更範囲に到達したか否かを判断して、到達していたらステップＣに進み、到達していなければステップＡに戻るステップＢと、
カーソルをユーザーの現在の画像情報に対応する目標領域に表示するステップＣとを含む。
【００２４】
前記ステップＡの前にユーザーの基準画像情報を採取するステップをさらに含み、前記ステップＢにおける比較・解析とは、具体的に現在の画像情報と基準画像情報との違いに基づきユーザーの実現が変更されたか否かを判断するものであることが好ましい。
【００２５】
前記ステップＡの前に、表示装置の数を調べること、或は表示装置のスクリーン領域を設定することをさらに含むことが好ましい。
【００２６】
この方法は、カーソルが到達する目標領域をアクティブにするアプリケーションプログラム・ウインドーをさらに含むことが好ましい。
【００２７】
前記画像情報はユーザーの顔部の特徴であることが好ましい。
【発明の効果】
【００２８】
従来の技術に対して、本発明の有益効果は、本発明ではユーザーの画像情報を採取・処理して、処理情報に基づき例えばカーソルを速やかに切替えるように表示装置におけるカーソル位置を制御することによって、ユーザーがカーソルを複数の表示装置の間で速やかに切替えることが可能であり、カーソル位置を一つの表示装置で速やかに変更することも可能であり、ユーザーがマウスを長距離で移動する時間を節約し、工作効率を向上させ、さらにユーザーがマウスを長距離で繰り返して操作する疲れも軽減でき、健康を促進するものである。
【００２９】
本発明の好ましい実施例において、前記目標領域にアプリケーションプログラム・ウインドーが存在しているか否かをリアルタイムに判断して、若し存在ならば、当該アプリケーションプログラム・ウインドーをアクティブにして、工作効率をさらに改善すると同時に、ユーザーによい感覚を与え、すなわちコンピュータはユーザーの意図を悟ることが可能である。なぜなら、ユーザーの目などの顔部の特徴の方向は当該ユーザーが操作しようとする対象を代表する。
【００３０】
本発明を基礎として、現在のカメラが内蔵されたノートパソコンに対して、ハードウェアが追加されていない場合、カーソルを一つ又は複数のスクリーンの間で長距離切替え、目標領域内にあるアプリケーションプログラム・ウインドーをアクティブにするという機能を実現できるので、多量普及させることに適するものである。
【００３１】
従って、本発明は、ユーザーの顔部向きを処理することによって、カーソル位置を切替え、目標領域内にあるアプリケーションプログラム・ウインドーをアクティブにする、コンピュータ援用ツールである。また、本発明の実用性が強く、ユーザーグループが大きく、各年齢階層の人々がみんな使用できる。
【発明を実施するための最良の形態】
【００３２】
本発明はコンピュータ援用システムであり、その主旨は、ユーザーの画像情報を採取して処理し、処理情報に基づき表示装置におけるカーソル位置を制御することにある。これに基づいて、本発明は目標領域内のアプリケーションプログラム・ウインドーをアクティブにすることも可能である。本発明はＩＰＣの分類に従って、電子情報、デジタル信号処理種類に関する。
【００３３】
図１を参照すれば、本発明の表示装置におけるカーソル位置の制御システムは表示装置１２０に表示されているカーソルを制御するが、データ処理装置１１０と、画像採取装置１３０とを含む。当該データ処理装置１１０はこの表示装置１２０と画像採取装置１３０とに接続され、それらを制御する。
【００３４】
表示装置１２０はデータ処理装置１１０から送信したデータを受信し、データ処理装置１１０の制御によって表示を実現する。
【００３５】
画像採取装置１３０はユーザーの画像情報を獲得してデータ処理装置１１０に送信する。
【００３６】
また、図２を参照すれば、当該データ処理装置１１０は、信号受信ユニット１１１と、信号処理ユニット１１２と、カーソル制御ユニット１１３とを含む。信号受信ユニット１１１は画像採取装置１３０からの信号を受信して信号処理ユニット１１２に送信する。信号処理ユニット１１２は前記信号を処理してカーソルが到着する期望目標領域を決定して、メッセージをカーソル制御ユニット１１３に送信する。カーソル制御ユニット１１３は前記メッセージに基づきカーソル制御信号を表示装置１２０に送信して、カーソルを対応する領域に調整する。
【００３７】
その上に、目標領域内のアプリケーションプログラム・ウインドーをアクティブにするために、前記データ処理装置１１０はウインドー・アクティベーションユニット１１４をさらに含む。信号処理ユニット１１２によってカーソルが目標領域に到着したことを確認した後、ウインドー・アクティベーションユニット１１４は目標領域にアプリケーションプログラム・ウインドーがあるか否かを判断する。若しあれば、表示装置１２０にウインドー・アクティベーション信号を送信して、当該アプリケーションプログラム・ウインドーをアクティブにする。若しなければ、システムは正常的に実行する。
【００３８】
説明すべきものは、当該表示装置１２０の数は一つ又は複数であってもよく、データ処理装置１１０はカーソルが前記表示装置１２０の目標領域に表示されるように制御し、当該画像採取装置１３０の数は１つ又は複数であってもよく、いずれもデータ処理装置１１０によって制御され、それとの通信を行う、ということである。
【００３９】
さらに説明すべきものは、前記信号受信ユニット１１１と、信号処理ユニット１１２と、カーソル制御ユニット１１３とウインドー・アクティベーションユニット１１４はハードウェアで実現してもよいし、ソフトウェアで実現してもよい。データ処理装置１１０が対応するソフトウェアを実行することによって対応する機能を実現する。また、前記各ユニットは個別にしてもよいし、２つ又は複数を集積してもよい、ということである。
【００４０】
当該画像採取装置１３０は独立的部分品でもよく、表示装置１２０中に集積されても又はデータ処理装置１１０中に集積されてもよいことは理解すべきである。
【００４１】
信号処理ユニット１１２は画像採取装置１３０に集積されてもよく、この時、信号受信ユニット１１１が受信したのは信号処理ユニット１１２によって処理されたデータであることは理解すべきである。
【００４２】
本発明の実施形態には、前記データ処理装置とはデータ処理能力を有する電子装置であり、デスクトップパソコンとノートパソコンとを含むが、これらに限定されない。前記表示装置とは表示能力を有する電子装置であり、冷陰極管表示装置、液晶表示装置、プラズマ表示装置、電界効果トランジスタなどを備えるが、これらに限定されない。前記画像採取装置とは画像撮影能力を有する電子装置であり、デジタルカメラ、カメラ、ＣＣＤなどを含むが、これらに限定されない。
【００４３】
前記ユーザーの画像情報はユーザーの顔部向きでもよい。信号処理ユニットはユーザーの顔部向きに基づきカーソルの目標領域を決定する。当然、前記画像情報はユーザーの視角などの各顔部の特徴などでもよい。
【００４４】
図３を参照すれば、本発明の制御方法のフローチャートである。
【００４５】
ステップＳ１１０には、ユーザーの正面と側面画像を記録する。当該ステップの主要作用は、後続のステップでユーザー画像情報を比較・解析する基準を決定する、ことにある。
ステップＳ１２０において、ユーザーの現在の顔部の特徴を採取する。
ステップＳ１３０において、現在の顔部の特徴を比較・解析する。
ステップＳ１４０において、変更の範囲に達つか否かを判断する。若し達つならば、ステップＳ１５０に進む。若し達たなかったら、ステップＳ１２０に戻る。前記判断ステップは現在の顔部の特徴とステップＳ１１０で記録された画像情報との違いを判断して、ユーザーの頭向きが変化する場合には、例えば大幅に偏位すると、カーソルの位置を調整する必要があると確認する。
ステップＳ１５０において、カーソルの位置を変更する。カーソルの表示位置をユーザーの現在の顔部の特徴に対応する目標領域に調整する。
ステップＳ１６０において、フローを終了するか否かを判断する。Ｎｏならば、ステップＳ１２０に戻る。Ｙｅｓならば、フローを終了する。
【００４６】
なお、本発明は目標領域内のアプリケーションプログラム・ウインドーを自動的にアクティブにすることも可能である。ここで詳細に述べることを省略する。
【００４７】
本発明を理解するために、実施例を結合して説明する。
【００４８】
図４を参照すれば、現在のワイドスクリーンコンピュータは本発明の技術方案を利用してカーソルを速やかに切替える目的を達成する。
【００４９】
本実施例のシステムはホストコンピュータ９１０と、ホストコンピュータに接続される表示装置９２０と、ホストコンピュータに接続されるカメラ９３０とを含む。当該ホストコンピュータ９１０には制御ソフトウェアシステム(図示せず)を有している。ただし、カメラ９３０は表示装置９２０の上方に設けられ、ユーザーの顔部の特徴をリアルタイムに採取し得る。
【００５０】
制御ソフトウェアシステムはホストコンピュータ９１０で実行されるもので、その主要機能は、画像を採取する機能と、画像モードを認識する機能と、カーソルの表示装置９２０における位置を制御する機能と、対応するアプリケーションプログラム・ウインドーをアクティブにする機能とである。
【００５１】
カメラ９３０は、まずユーザーの正面視の表示色別の顔部の特徴を記録する。ユーザーは頭が大幅に偏位すると、カメラ９３０に採取された画像は制御ソフトウェアの処理によって、ユーザーが到着する必要がある目標領域を決定し、カーソルを対応する領域に調整する。若し当該領域にアプリケーションプログラム・ウインドーが存在すれば、このアプリケーションプログラム・ウインドーをアクティブにする。ユーザーの頭が随意に動くとカーソルが移動するという問題を防止するために、実現過程中には、反応が敏感すぎないよう、カーソルの移動を一定遅延して、不必要な繁雑が発生されないようにする。
【００５２】
図５を参照すれば、制御ソフトウェアシステムの構成のブロック図である。制御ソフトウェアシステムは下位層駆動部８１０と、画像採取・処理部８２０と、カーソル制御部８３０とを含む。下位層駆動部８１０はカメラ装置駆動モジュールとディスプレイ駆動モジュールとの両部分を含み、主要に対応するインターフェースを上位層の画像採取・処理部に提供して、カメラとディスプレイとに対する制御を実現する。
【００５３】
制御ソフトウェアシステムは実行し始める時、図６に示すように、まずユーザーの正面の画像を採取し、ディスプレイの数（一つディスプレイに対して、スクリーンのサブエリアを選択でき、４個又はより多くの表示装置があるとしてもよい）を調べる。制御ソフトウェアシステムはスクリーンが４領域に分割されたとデフォルトにして、カーソルが領域１から領域４へ切替されると、移動距離が長すぎという問題も存在している。例えば、制御ソフトウェアシステムを利用してカメラによって採取されたユーザーの顔部の特徴を処理して、処理された信号によってユーザーのカーソルの位置を切替えて、工作効率を極めて向上させる。
【００５４】
説明すべきものは、ディスプレイスクリーンの解像度と画素値は、スクリーンを４領域又はより多くの領域に分割する主要参考要素になる。これらの参考要素からスクリーンを非常に多くの領域に分割できるが、精度の問題を考慮すれば、本実施例では４個に分割することが好ましい。
【００５５】
そして、制御ソフトウェアシステムはユーザーの正面が各表示領域に向ける時の画像を記録し、基準になるように対応する処理を行う。
【００５６】
制御ソフトウェアシステムは、実行過程においてユーザーの顔部の画像をリニアタイムに採取して、記録された基準と比較し、比較結果がカーソルを切替える範囲に到達した後、設定されたカーソル制御策略処理を経て、若し確実にカーソルの位置を切替える必要があれば、カーソル制御部８３０でカーソルの位置を変更し、その時目標領域にアプリケーションプログラム・ウインドーが存在すると、それをアクティブにする。カーソル制御策略は、主にユーザーが処理過程中に、例えばユーザーの頭の随意動き、高速回動等のようないくつかの実際の問題の処理を実現するものである。画像処理中では、主要にユーザーの両眼と鼻との３点の間の特徴を参考とする。
【００５７】
説明すべきものは、以上述べたのはデフォルトモードでカメラがユーザーの真正面に位置し、カメラが一つのみの場合である、というものである。実際には、ホストコンピュータに接続されるカメラの数は複数であることが可能であり、全て制御ソフトウェアシステムに制御される。
【００５８】
ユーザーが使用するカメラがユーザーの真正面に位置していない場合、或は複数のカメラである場合には、制御ソフトウェアシステムの工作手順は基本的に同様であるが、ソフトウェアの初期化段階にそれに一定の番号を付ける。若しカメラの偏位角が大すぎると、画像処理過程中ではユーザーの目、耳及び鼻の間の特徴を参考としてもよい。
【００５９】
図７を参照すれば、ワークステーションがモニターを実行する時に本発明の技術方案でカーソルの高速切替の目的を実現する可能である。
【００６０】
ワークステーションが監視・制御すべきタスクが多いので、使用過程中には複数のディスプレイスクリーンを使用し、各ディスプレイスクリーンは異なるタスクに対応しているが、本実施例には６個のスクリーンを例として、比較的に均一にカメラの周辺に配列する。
【００６１】
ユーザーがマウスを移動してカーソルをスクリーン１からスクリーン６へ移動すると、移動距離がほぼ１メートルに到達し、このような長距離の移動は非常に手数がかかるものである。ユーザーの顔部の特徴を処理する技術を採用すると、ユーザーの顔部向きがスクリーン１からスクリーン６へ変更されるには短い時間のみを必要とし、予定の遅延を加えて、０．５秒未満の時間以内にカーソルを宛先に切替えて、且つ、目標領域のアプリケーションプログラム・ウインドーをアクティブにすることが可能である。
【００６２】
要するに、本発明はコンピュータ援用システムを提供するが、ユーザーに複数の表示装置の間でカーソルを速やかに切替えさせて目標領域のアプリケーションプログラム・ウインドーをアクティブにしてもよいし、一つの表示装置においてカーソルの位置を速やかに切替えさせて目標領域内のアプリケーションプログラム・ウインドーをアクティブにしてもよい。その主旨において、現在、市販の大部分のノートパソコンにカメラが内蔵されており、多くのデスクトップコンピュータにも、例えばビデオチャット、ビデオ会議などのようなユーザーの様様な要求に応じてカメラが取り付けられている一方、ユーザーがスクリーンを切替える時、必然的に当該スクリーンに向け、それに伴ってカメラに撮影されたユーザーの顔部の特徴が変更されることを引き起こす。カメラに撮影された画像と現在の強大な画像処理技術とを結合させて人の顔部の特徴を精確に解析・比較することが可能であり、それらの解析と処理の情報から、ユーザーのカーソルが到達すべき宛先を判断し、カーソルを宛先に速やかに切替えることが可能である。ユーザーは、この方式を採用して、手でマウス又はキーボードなどの周辺装置を操作することなくカーソルを制御して、カーソルを長距離で移動させる目的を容易に達成するので、ユーザーの手腕の疲労感を緩和すると共に、工作効率を向上させることが可能である。
【００６３】
以上述べられたのは、本発明における好ましい実施形態だけであるが、本発明の主旨を逸脱しない限り、若干の改善と添削を行うことは可能であり、これらの改善と添削も本発明の請求保護範囲に含まれることは当業者にとって自明である。
【図面の簡単な説明】
【００６４】
【図１】本発明の表示装置のカーソル位置の制御システムのブロック図である。
【図２】本発明に係る制御システムにおけるデータ処理装置のブロック図である。
【図３】本発明に係る制御方法のフローチャートである。
【図４】本発明に係る制御システムの第１の実施例の構成の概略図である。
【図５】図４に示すホストコンピュータにおける制御ソフトウェアシステムの構成のブロック図である。
【図６】図４に示すディスプレイのサブエリアを示す図である。
【図７】本発明の第2の実施例におけるスクリーン及びカメラを示す図である。
【図１】
2008523517.tif 000003
【図２】
2008523517.tif 000004
【図３】
2008523517.tif 000005
【図４】
2008523517.tif 000006
【図５】
2008523517.tif 000007
【図６】
2008523517.tif 000008
【図７】
2008523517.tif 000009
【手続補正書】
【提出日】平成19年6月25日(2007.6.25)
【手続補正１】
【補正対象書類名】特許請求の範囲
【補正対象項目名】全文
【補正方法】変更
【補正の内容】
【特許請求の範囲】
【請求項１】
データ処理装置に接続されている表示装置のカーソルの制御システムであって、
ユーザーの画像情報を採取して信号を送信するための画像採取装置と、
前記画像採取装置からの信号を受信するための信号受信ユニットと、
前記信号を解析してカーソル及びカーソルが到達する目標領域を切替える必要があるか否かを判断するための信号処理ユニットと、
前記信号処理ユニットの判断結果に基づき前記表示装置にカーソル制御信号を送信して、カーソルを前記目標領域に切替えるためのカーソル制御ユニットと、を含むことを特徴とする表示装置のカーソルの制御システム。
【請求項２】
前記目標領域中にアプリケーションプログラム・ウインドーが存在している時、前記表示装置にウインドー・アクティベーション信号を送信して当該アプリケーションプログラム・ウインドーをアクティブにするためのウインドー・アクティベーションユニットをさらに含むことを特徴とする請求項１に記載の表示装置のカーソルの制御システム。
【請求項３】
前記信号受信ユニット、前記信号処理ユニット、前記カーソル制御ユニット及び前記ウインドー・アクティベーションユニットは、個別の部分品又は少なくとも２個のユニットが相互に集積されたものであることを特徴とする請求項２に記載の表示装置のカーソルの制御システム。
【請求項４】
前記信号受信ユニット、前記信号処理ユニット、前記カーソル制御ユニット及び前記ウインドー・アクティベーションユニットは前記データ処理装置内に設けられることを特徴とする請求項２に記載の表示装置のカーソルの制御システム。
【請求項５】
前記信号受信ユニット、前記信号処理ユニット、前記カーソル制御ユニット及び前記ウインドー・アクティベーションユニットは前記データ処理装置の制御ソフトウェアシステムを構成することを特徴とする請求項４に記載の表示装置のカーソルの制御システム。
【請求項６】
前記信号処理ユニットは前記画像採取装置内に設けられ、前記信号受信ユニット、前記カーソル制御ユニット及び前記ウインドー・アクティベーションユニットは前記データ処理装置内に設けられることを特徴とする請求項１に記載の表示装置のカーソルの制御システム。
【請求項７】
前記信号処理ユニットによって決定される目標領域は複数の表示装置の一つ又は表示装置の複数のスクリーン領域の１つであることを特徴とする請求項１に記載の表示装置のカーソルの制御システム。
【請求項８】
前記画像採取装置によって採取されるユーザーの画像情報はユーザーの顔部の特徴であり、前記信号処理ユニットは現在の顔部の特徴と、設定された基準の顔部特徴とに基づき判断を行うことを特徴とする請求項１乃至７のいずれかに記載の表示装置のカーソルの制御システム。
【請求項９】
前記画像採取装置は前記表示装置又は前記データ処理装置内に設けられることを特徴とする請求項８に記載の表示装置のカーソルの制御システム。
【請求項１０】
データ処理装置に接続されている表示装置のカーソルの制御方法であって、
ユーザーの現在の画像情報を採取するステップＡと、
前記現在の画像情報を比較・解析して、カーソルが変更範囲に到達したか否かを判断して、到達していたらステップＣに進み、到達していなければステップＡに戻るステップＢと、
カーソルをユーザーの現在の画像情報に対応する目標領域に表示するステップＣとを含むことを特徴とする表示装置のカーソルの制御方法。
【請求項１１】
前記ステップＡの前にユーザーの基準画像情報を採取するステップをさらに含み、前記ステップＢにおける比較・解析とは、具体的に現在の画像情報と基準画像情報との違いに基づきユーザーの実現が変更されたか否かを判断するものであることを特徴とする請求項１０に記載の表示装置のカーソルの制御方法。
【請求項１２】
前記ステップＡの前に、表示装置の数を調べること、或は表示装置のスクリーン領域を設定することをさらに含むことを特徴とする請求項１０に記載の表示装置のカーソルの制御方法。
【請求項１３】
カーソルが到達する目標領域をアクティブにするアプリケーションプログラム・ウインドーをさらに含むことを特徴とする請求項１０又は１１に記載の表示装置のカーソルの制御方法。
【請求項１４】
前記画像情報はユーザーの顔部の特徴であることを特徴とする請求項１０又は１１に記載の表示装置のカーソルの制御方法。
【国際調査報告】
2008523517.tif 000010
2008523517.tif 000011
2008523517.tif 000012
2008523517.tif 000013